【事件の表示】
　特許第２８３５３７５号「検眼装置」の特許に対する特許異議の申立てについて、次のとおり決定する。
【結　論】
　訂正を認める。
　特許第２８３５３７５号の特許を維持する。
【理　由】
１．手続の経緯
　特許第２８３５３７５号に係る発明についての出願は、昭和６０年６月２１日に特許出願された特願昭６０−１３６７２２号の一部を平成５年１１月１２日に新たな特許出願とし、平成１０年１０月９日にその発明について特許の設定登録がなされた後、株式会社トプコンより特許異議の申立てがなされ、取消理由通知がなされ、その指定期間内である平成１１年１２月１１日に訂正請求がなされたものである。
　
２．訂正の適否についての判断
ア）訂正の内容
　特許権者が求めている訂正の内容は次の訂正事項（ａ）、（ｂ）のとおりである。
（ａ）特許請求の範囲を、「被検眼前眼部を照明しその反射光を検出して前眼部に関する所定の光学測定を行う測定手段と、該測定手段用の照明とは別個で位置合わせに使用する光束を前眼部に照射する照明光源と、該照明光源に照射された被検眼前眼部の像をテレビモニタを介して観察するための観察光学系と、前記所定の光学測定のための測定ボタンと、前記測定ボタンを押したときに前眼部に光束を照射している前記照明光源を消灯するように制御する制御手段とを設けたことを特徴とする検眼装置。」と訂正する。
（ｂ）段落番号【０００５】の「上記の目的を達成するための・・・・ことを特徴とする検眼装置である。」を、「上記の目的を達成するための本発明の要旨は、被検眼前眼部を照明しその反射光を検出して前眼部に関する所定の光学測定を行う測定手段と、該測定手段用の照明とは別個で位置合わせに使用する光束を前眼部に照射する照明光源と、該照明光源に照射された被検眼前眼部の像をテレビモニタを介して観察するための観察光学系と、前記所定の光学測定のための測定ボタンと、前記測定ボタンを押したときに前眼部に光束を照射している前記照明光源を消灯するように制御する制御手段とを設けたことを特徴とする検眼装置である。」と訂正する。
　
イ）訂正の目的の適否、新規事項の有無及び拡張・変更の存否
　訂正事項（ａ）は、特許請求の範囲に記載の発明の「被検眼に関する所定の光学測定を行う測定手段」を「被検眼前眼部を照明しその反射光を検出して前眼部に関する所定の光学測定を行う測定手段」に、「被検眼の前眼部に光束を照射する照射光源」を「該測定手段用の照明とは別個で位置合わせに使用する光束を前眼部に照射する照明光源」に、「該照射光源に照射された被検眼前眼部の像を観察するための観察光学系」を「該照明光源に照射された被検眼前眼部の像をテレビモニタを介して観察するための観察光学系」に限定するものであり、特許請求の範囲の限縮および明瞭でない記載の釈明を目的とするもので、願書に添付した明細書または図面に記載した事項の範囲内の補正であり、また実質上特許請求の範囲を拡張し又は変更するものではない。
　訂正事項（ｂ）は、訂正事項（ａ）においてなされた訂正の記載との整合をとるために訂正するもので、明瞭でない記載の釈明を目的とし、願書に添付した明細書または図面に記載した事項の範囲内の補正であり、また実質上特許請求の範囲を拡張し又は変更するものではない。
　
ウ）独立特許要件
（訂正明細書の特許請求の範囲に記載された発明）
　訂正明細書の特許請求の範囲に記載された発明（以下、「本件発明」という。）は、訂正明細書の特許請求の範囲に記載された次のとおりのものである。
「被検眼前眼部を照明しその反射光を検出して前眼部に関する所定の光学測定を行う測定手段と、該測定手段用の照明とは別個で位置合わせに使用する光束を前眼部に照射する照明光源と、該照明光源に照射された被検眼前眼部の像をテレビモニタを介して観察するための観察光学系と、前記所定の光学測定のための測定ボタンと、前記測定ボタンを押したときに前眼部に光束を照射している前記照明光源を消灯するように制御する制御手段とを設けたことを特徴とする検眼装置。」
（引用刊行物）
　当審が通知した取消理由で引用した刊行物１（特開昭５９−１２５５５１号公報）には、
「本発明は眼科手術用顕微鏡特に被検眼の屈折力を測定する機能を有する眼科手術用顕微鏡に関」（第１頁右下欄第１７−１９行）し、
「第７図は本発明の第３の実施例で、被検眼前眼部照明光路と、被検眼前眼部観察撮影光路と、眼屈折力測定光路を分離したものであり、これら光路内の各光学部材の配置は第１図に示す実施例と同様である。
　この実施例では眼屈折力測定光学系の全部又は一部がその光軸方向に移動して、各スリットに対応した光位置検出器の最大出力を検出し、その位置までの移動量より屈折力を求める。ここで各光学系の概略を説明する。被検眼前眼部を観察するためのランプ１０１からの光はハーフミラー１０２、コンデンサレンズ１０３、対物レンズ１０５ａを経て被検眼Ｅｐに至り、前眼部からの光は対物レンズ１０５、リレーレンズ１０６を経てＲ方向に進み観察される。また撮影時にはストロボ１１３が発光し同様に被検眼前眼部からの光がＲ方向に進み撮影される。
　一方、眼屈折力測定系に関し、赤外光で照明された不図示の投影チャートを通った光はリレーレンズ１２１、ハーフミラー１１６、リレーレンズ１１５、対物レンズ１０５ｂを経て被検眼Ｅｐに至り、眼底に投影される。
　一方、眼底から反射した光は対物レンズ１０５ｂ、リレーレンズ１１５、ハーフミラー１１６、リレーレンズ１１７を経て、Ｄ方向に進み不図示の光位置検出器で受光される。
　なお本実施例で被検眼前眼部照明光路が被検眼前眼部観察撮影光路に関し、眼屈折力測定光路と対称的である必要はない。対称的であると前眼部で照明光が直接反射して、眼屈折力測定系へ入ることが考えられるがこの場合には、眼屈折力測定時に、ランプ１０１、ストロボ１１３を消灯しておけば良い。」（第３頁右上欄第７行−左下欄第１９行）ものが記載されており、これに関連し、第１実施例では、
「また上記屈折力測定の装置は自動化したものである必要は無く手動で操作する装置であっても差し支えない。」（第３頁左上欄第８−１０行）ことも記載されている。
（対比・判断）
　本件発明と刊行物１記載の発明を対比すると、刊行物１記載の発明は、被検眼前眼部を観察するためのランプを眼屈折力測定時に消灯することを開示するが、角膜径等の前眼部に関する光学測定については記載されていない。これに対して、本件発明は、「前眼部に関する所定の光学測定を行う」もので、「測定ボタンを押したときに前眼部に光束を照射している前記照明光源を消灯する」ことにより、位置合わせを行った前眼部の状態が測定直前まで確認でき、前眼部測定時の測定精度が向上するという作用効果を奏することが認められる。また刊行物１には、本件発明の「該照明光源に照射された被検眼前眼部の像をテレビモニタを介して観察するための観察光学系」も記載されていない。
　したがって、本件発明が上記刊行物１に記載のものと同一であるとも、上記刊行物に記載のものから容易に発明をすることができたものともいえず、本件発明は特許出願の際独立して特許を受けることができるものである。
　
エ）むすび
　以上のとおりであるから、上記訂正は、特許法等の一部を改正する法律（平成６年法律第１１６号）附則第６条第１項の規定によりなお従前の例によるとされる、特許法第１２０条の４第２項、同条第３項で準用する第１２６条第２〜４項の規定に適合するので、当該訂正を認める。
　
３．特許異議の申立てについての判断
　本件発明は、訂正後の特許請求の範囲に記載されたとおりのものである。
　申立人株式会社トプコンは、特許請求の範囲第１項に記載された発明は、甲第１号証（特開昭５９−１２５５５１号公報）に記載された発明と実質的に同一であるから、特許法第２９条第１項第３号の規定により、特許を受けることができないものであるから、特許を取り消すべきと主張している。
　本件発明は、上記２．ウ）で示したように、取消理由通知で示した刊行物に記載された発明と同一とすること、及び上記刊行物に記載された発明から容易に発明をすることができたものとすることはできない。
　また、他に本件発明の特許を取り消すべき理由を発見しない。
　よって、結論の通り決定する。
【異議決定日】
平成１２年３月１７日（２０００．３．１７）
【訂正の要旨】
訂正の要旨
［訂正事項ａ］
　特許請求の範囲を、特許請求の範囲の限縮、誤記又は誤記の適正、明瞭でない記載の釈明を目的として、次の通りに訂正する。
「被検眼前眼部を照明しその反射光を検出して前眼部に関する所定の光学測定を行う測定手段と、該測定手段用の照明とは別個で位置合わせに使用する光束を前眼部に照射する照明光源と、該照明光源に照射された被検眼前眼部の像をテレビモニタを介して観察するための観察光学系と、前記所定の光学測定のための測定ボタンと、前記測定ボタンを押したときに前眼部に光束を照射している前記照明光源を消灯するように制御する制御手段とを設けたことを特徴とする検眼装置。」
［訂正事項ｂ］
　段落番号【０００５】を「上記の目的を達成するための‥‥ことを特徴とする検眼装置である。」を、明瞭でない記載の釈明を目的として、次の通り訂正する。
「上記の目的を達成するための本発明の要旨は、被検眼前眼部を照明しその反射光を検出して前眼部に関する所定の光学測定を行う測定手段と、該測定手段用の照明とは別個で位置合わせに使用する光束を前眼部に照射する照明光源と、該照明光源に照射された被検眼前眼部の像をテレビモニタを介して観察するための観察光学系と、前記所定の光学測定のための測定ボタンと、前記測定ボタンを押したときに前眼部に光束を照射している前記照明光源を消灯するように制御する制御手段とを設けたことを特徴とする検眼装置である。」
（５４）【発明の名称】
検眼装置
（５７）【特許請求の範囲】
　　【請求項１】　
被検眼前眼部を照明しその反射光を検出して
該測定手段用の照明とは別個で位置合わせに使用する光束を前眼部に
照明
照明
テレビモニタを介して
【発明の詳細な説明】
　　　【０００１】
　　【産業上の利用分野】
　本発明は、眼科医院等で使用され、被検眼に対する光学的測定を行う検眼装置に関するものである。
　　　【０００２】
　　【従来の技術】
　検眼装置においてはテレビカメラの画像から被検眼に関する光学的測定を行う場合がある。
　　　【０００３】
　　【発明が解決しようとする課題】
　しかしながら、その際に測定に関係のない照明が前眼部に対してなされていると、画像に雑音として入り込み、測定処理が困難となる場合がある。
　　　【０００４】
　本発明の目的は、測定に際して外乱光の影響を少なくするようにした検眼装置を提供することにある。
　　　【０００５】
　　【課題を解決するための手段】
　上記の目的を達成するための本発明は、
被検眼前眼部を照明しその反射光を検出して
該測定手段用の照明とは別個で位置合わせに使用する光束を前眼部に
照明
照明
テレビモニタを介して
　　　【０００６】
　　　【０００７】
　　【作用】
　上述の構成を有する検眼装置は、測定時に不要な照明光源を消灯し、測定手段における処理を容易にする。
　　　【０００８】
　　【実施例】
　本発明を図示の実施例に基づいて詳細に説明する。
　図１は光学的構成図であり、被検眼Ｅの前方には光軸０１に沿って被検眼Ｅ側から順次に、対物レンズ１、光分割部材２、絞り３、二次元光センサ４が配置され、また対物レンズ１の周囲にはリング状光源５が配置されている。更に、光軸０１と直交し光分割部材２を通る光軸０２上には、光源６、アライメント視標７、レンズ８、光分割部材２、レンズ９、テレビカメラ１０が順次に配され、テレビカメラ１０の出力はテレビモニタ１１に接続されている。
　　　【０００９】
　リング状光源５の被検眼Ｅの角膜Ｅｃによる反射像は、対物レンズ１、光分割部材２、絞り３を通って二次元光センサ４上に結像され、その大きさを後述する手段で測定し、角膜Ｅｃの曲率半径を求めることができる。一方、図２（ａ）に示すようにテレビカメラ１０によってテレビモニタ１１上に被検眼Ｅの前眼部像が映されており、前眼部は図示しない可視光の外眼照明光源によって照明されている。アライメント視標７は可視光源６により照射され、レンズ８、９を介してテレビカメラ１０で撮影される。図２（ａ）におけるテレビモニタ１１上には、虹彩像Ｐｉ、リング状光源５の像Ｐｒ、アライメント視標７の像Ｐａ、瞳孔像Ｐｐ、外眼照明光源像Ｐｓが映し出される。
　　　【００１０】
　走査線１のビデオ信号を図２（ｂ）に示すと、強膜部Ｅｓは反射が強く、虹彩部Ｅｉは暗くてレベルが低くなっている。この中間にレベルＬを設定すれば信号を二値化でき、交点ａ、ｂ間の距離を後述する手段で求めれば虹彩像Ｐｉの寸法が判る。走査線１が被検眼Ｅの中心を外れているのは光源像Ｐｓを避けるためであり、予めそのずれ量を決めておけば虹彩像Ｐｉの直径に換算することができる。
　　　【００１１】
　図３は電気的ブロック回路構成図を示す。先ず、角膜曲率半径の計測部について説明すると、二次元光センサ４から読み出されたアナログ信号は、増幅器２０で増幅されサンプル値ホールド回路２１で一時的に信号レベルをホールドされて、次段のＡ／Ｄコンバータ２２でデジタル信号に変換される。また、光センサ４はドライバ２３のクロック信号により制御されている。Ａ／Ｄコンバータ２２から出力されたデジタル信号は、インタフェイス２４を経てＲＡＭ（Ｒａｎｄｏｍ　Ａｃｃｅｓｓ　Ｍｅｍｏｒｙ）２５に記憶される。２６はＲＯＭ（Ｒｅａｄ　Ｏｎｌｙ　Ｍｅｍｏｒｙ）であり、マイクロプロセッサ２７を作動するための制御プログラムが書き込まれている。ＲＡＭ２５のデータから二次元光センサ４上に結像されたリング像位置を求め、楕円の一般式等に当て嵌めることにより角膜の曲率半径が求められ、結果表示器２８に表示され、必要に応じてプリンタ２９に出力される。
　　　【００１２】
　続いて、角膜径の計測部について説明すると、テレビカメラ１０で把えられた被検眼Ｅの前眼部像のビデオ信号は、テレビモニタ１１の他に増幅器３０、周期分離回路３１に入力され、走査線カウンタ３２を動作させる。そして、走査線カウンタ３２からの出力ｃはインタフェイス２４に接続されている。増幅器３０で増幅されたビデオ信号は、コンパレータ３４、３５、サンプル値ホールド回路３６に入力され、コンパレータ３５の出力は単安定マルチバイブレータ３７を経てサンプル値ホールド回路３６に入力されている。コンパレータ３５の他方の入力には、瞳孔レベル設定信号ｄが接続されていて、その出力ｅは単安定マルチバイブレータ３７を駆動させ、更にその出力ｆはサンプル値ホールド回路３６を経て所定電圧信号ｇと加算器３８で加算され、その出力信号ｈがコンパレータ３４の入力端に接続されている。コンパレータ３４の出力ｉはカウンタ３９のゲート入力に接続され、発振器４０のクロック出力ｊによりカウント制御を行っている。カウンタ３９のカウント出力ｋはインタフェイス２４に入力され、カウンタ３９の制御信号ｍはインタフェイス２４からカウンタ３９に送出されている。またインタフェイス２４には、リング状光源５、光源６が接続されていて、点灯・消灯の制御が行われ、角膜径の測定時にはリング光源５、光源６は消灯されるようになっている。
　　　【００１３】
　図４により角膜計の計測部の動作を説明すると、瞳孔像Ｐｐはほぼ黒レベルに近く個人差が無いので、瞳孔レベル設定信号ｄは一定でよい。コンパレータ３５からの出力信号ｅの立下がりで単安定マルチバイブレータ３７を駆動させ、その信号ｅの立下がりの時点のビデオ信号をサンプル値ホールドさせれば、虹彩像ＰｉのレベルＬｉが決定され個人差のばらつきを抑えることができる。このレベルＬｉに所定レベルｇを加算し、そのレベルｈとテレビカメラ１０の出力信号をコンパレータ３４で比較すれば、虹彩信号ｉを抽出することができる。加算器３８からの信号ｈは、テレビモニタ１１の画面に瞳孔が入っている間は走査線ごとに出力されている。走査線カウンタ３２からの出力ｃを基に、所定の走査線になるとカウンタ制御信号ｍを出力させ、虹彩信号ｉの幅をクロック出力ｊで計数し、その出力ｋを読み取ることによって、その走査線ｌ上の虹彩像Ｐｉの径を換算して角膜径を求めることができる。
　　　【００１４】
　測定操作手順としては、テレビモニタ１１を見ながら先ずリング像Ｐｒをピント良く視標像Ｐａに合致させ、図示しない測定ボタンを押すと、光源５、６は消灯され虹彩径つまり角膜径の測定を行い、その後にリング状光源５を点灯して角膜曲率半径の測定を行うが、この測定手順は逆でもよい。また、虹彩は赤外光では反射率が高いので、外眼照明は可視光を用いることが望ましい。更に、テレビカメラ１０による観察光学系をテレセントリック系にしておけば、ぼけても精度に影響しないので好ましい。
　　　【００１５】
　また他の測定手段として、テレビモニタ１１上には光源５によるリング状の角膜反射像Ｐｒが映出されており、この像Ｐｒは一般には楕円で表される。このリング状の像Ｐｒにかかる少なくとも３本の走査線を使用して、リングの交点を求めればこの楕円は計算で求まり、これにより各径線方向の角膜曲率半径が算出できる。
　　　【００１６】
　更には、角膜曲率半径及び角膜径の測定結果を基に、マイクロプロセッサ２７により、コンタクトレンズのベースカーブを演算し、結果表示器２８、プリンタ２９に出力するようにしてもよい。
　　　【００１７】
　　【発明の効果】
　以上説明したように本発明に係る検眼装置によれば、被検眼に対する光学的測定に際して、不要な照明光源を消灯することにより外乱の混入を防ぎ、処理を容易にする。
【図面の簡単な説明】
　　【図１】
　第１の実施例の光学的構成図である。
　　【図２】
　テレビモニタの正面図と特定走査線のビデオ信号の波形図である。
　　【図３】
　ブロック回路構成図である。
　　【図４】
　ブロック回路構成図の信号波形図である。
　【符号の説明】
１　対物レンズ
２　光分割部材
３　絞り
４　光センサ
５　リング状光源
６　光源
７　アライメント視標
１１　テレビモニタ
２１、３６　サンプル値ホールド回路
２２　Ａ／Ｄコンバータ
２５　ＲＡＭ
２６　ＲＯＭ
２７　マイクロプロセッサ
３４、３５　コンパレータ
３７　単安定マルチバイブレータ
３８　加算器
３９　カウンタ